(57)【要約】      （修正有）【課題】  天部と前面パネルを同時に開口できる易開封性カバン型カートンを提供する。【解決手段】  前面側壁パネル２の上半部に下部が閉じ、上部が開放する切れ目線１２を設け、後面側壁パネルの上辺から天板８、前面カバー９及び摘み片１０を延設し、前面カバーで前面側壁パネルを覆い、開口片３と前面カバーを接着してなり、摘み片１０を引き上げることにより開口片が前面カバーが前面パネルから切り離されて天部と前面パネルを開口するカートンであって、摘み片が開口片で開口した前面側壁パネルの開口部内側に挿入してリクローズできる大きさで、摘み片の根元の折線１３が接着部１４の最下端と切れ目線の下部の繋ぎ目１６の間に位置すし、しかも摘み片１０の根元の折線が摘み片の両端部に設けられた切欠１５の最深部に位置している開封性の良いカートンである。【選択図】      図１
2005126148.tif 000002
【特許請求の範囲】
【請求項１】
４角形の底板周辺から立ち上げた側壁パネルの中の前面側壁パネルの上半部に下部が閉じ、上部が開放するような切れ目線で区画された開口片を設け、前記前面側壁パネルと対向するように立ち上げた後面側壁パネルの上辺から天板、前面カバー及び摘み片の順にそれぞれ折線を介して延設して、前側に倒し、前面カバーと摘み片で前記前面側壁パネルを覆い、前記開口片と前記前面カバーを所定の位置に設けた接着部で接着してなり、前記摘み片を引き上げることにより、前記開口片が前記前面カバーの裏面に貼着して前面パネルから切り離されて天部と前面パネルを大きく開口するカバン型カートンにおいて、
前記摘み片が開口片で大きく開口した前面側壁パネルの開口部の内側に幅広に挿入してリクローズできる大きさに形成され、かつその摘み片の根元の折線が前記接着部の最下端と前記切れ目線の下部の繋ぎ目の間に位置することにより、
前記接着部が引っ張り力に対しては剪断力より強い抵抗を示すことを利用して、前記摘み片を持ち上げると剥離力の力点は前記摘み片の根元の折線の位置に移り、かつ、引っ張り力により前記接着部の最下端も上に持ち上がるが、この間前記接着部での層間剥離を起こさず、前記切れ目線の下部の繋ぎ目を確実に破壊して、この破壊が、前記切れ目線全体に及んで前記開口片が確実に前記前面カバーに貼着した状態で前記前面側壁パネルが開口でき、しかも前記摘み片の根元の折線が前記摘み片の両端部に設けられた切欠の最深部に位置することを特徴とする易開封性カートン。
【発明の詳細な説明】
【技術分野】
【０００１】
本発明は、天部ばかりでなく、前面パネルの上半部も大きく開口して、個装された菓子、食品等の商品を取り出し易くした易開封性カートンに関する。
【背景技術】
【０００２】
長方形の底板を囲む４枚の側壁パネルの中の後面のパネルを延長して蓋部とし、これを前面に倒して天板、さらに前面パネルの略上半分を覆うような前面カバーとしたカバン型のカートンが菓子、チョコレート等を中心に使用されている。  このカートンは前面パネルを略半ば覆っている前面カバーの先端の摘みを持ち上げると、前面パネルに予め形成されている切れ目線で区画された開口片が前面パネルから切り離されて前面カバーの裏側に貼着して持ち去られ、前面パネルには大きな開口が可能になるものである。そのような作用によって個装された商品の取り出しが便利になり、ディスプレイ効果も示す。
さらに、蓋部先端の摘みを前面パネルのスリットに差し込めば再封することができるようになっている。
以上の開封は板紙単層であるが、カートンの内側に密封した内袋を具備した、いわゆるバッグインカートンについても前面、上面を大きく開口する易開封性のあるものが提案されている。
【発明の開示】
【発明が解決しようとする課題】
【０００３】
しかるに、以上のようなカートンでは、蓋部先端の摘みを持ち上げると接着剤層が前面パネルの開口片の表面の方に残ってしまい、開口部が破壊されないで、開口しないまま、天部のみ開いてしまう問題がある。この問題を解決するために、開口片と蓋部の前面カバー間の接着力を高めようとして接着面積を大きくすると、小型のカートンでは接着剤がはみだして意匠性や美観を損なうこととなり、また、接着材コストがかかるという問題がある。
また、開口部の切れ目線の切れ刃部分を長く、繋ぎ部を少なくしたり、あるいは切れ刃形状を変えたりして切れ目線を一層弱くすると、末端ユーザーによる開封以前の流通段階で僅かな衝撃で開口してしまうという問題が発生する。
本発明は前述の問題点に鑑みてなされたもので、必要最小限度の接着面積で、また切れ目線を必要以上に弱める必要なく、誰が開封しても前面パネルに開口部が必ず得られるように、安定して、しかも容易に開封ができ、さらにまた容易にリクローズができるカバン型易開封性カートンの提供を目的とする。
【課題を解決するための手段】
【０００４】
前記課題を解決するためになされた本発明は、４角形の底板周辺から立ち上げた側壁パネルの中の前面側壁パネルの上半部に下部が閉じ、上部が開放するような切れ目線で区画された開口片を設け、前記前面側壁パネルと対向するように立ち上げた後面側壁パネルの上辺から天板、前面カバー及び摘み片の順にそれぞれ折線を介して延設して、前側に倒し、前面カバーと摘み片で前記前面側壁パネルを覆い、前記開口片と前記前面カバーを所定の位置に設けた接着部で接着してなり、前記摘み片を引き上げることにより、前記開口片が前記前面カバーの裏面に貼着して前面パネルから切り離されて天部と前面パネルを大きく開口するカバン型カートンにおいて、前記摘み片が開口片で大きく開口した前面側壁パネルの開口部の内側に幅広に挿入して、リクローズができる大きさに形成され、かつその摘み片の根元の折線が前記接着部の最下端と前記切れ目線の下部の繋ぎ目の間に位置することにより、前記接着部が引っ張り力に対しては剪断力より強い抵抗を示すことを利用して、前記摘み片を持ち上げると剥離力の力点は前記摘み片の根元の折線の位置に移り、かつ、引っ張り力により前記接着部の最下端も上に持ち上がるが、この間前記接着部での層間剥離を起こさず、前記切れ目線の下部の繋ぎ目を確実に破壊して、この破壊が、前記切れ目線全体に及んで前記開口片が確実に前記前面カバーに貼着した状態で前記前面側壁パネルが開口でき、しかも前記摘み片の根元の折線が前記摘み片の両端部に設けられた切欠の最深部に位置することを特徴とする易開封性カートンを要旨とする。
【発明の効果】
【０００５】
請求項１にかかる発明はカバン型カートンの蓋部の開封にあたって、摘み片の根元の折線が接着部の最下端と切れ目線の下方の繋ぎ目の間に位置していることによって接着部に対して垂直方向の引っ張り力が多く働き、接着部での層間剥離を防ぎながら切れ目線を確実に切り離すことができる。したがって従来のカバン型開封性カートンに比べて開口部が安定して開封することができる。そして摘み片を開口した前面パネルの内側に挿し込むことによって再封も容易である。更に摘み片が前面側壁にパネルの開口部の内側に幅広く挿入できるように大きく形成されているので、引っ張り易くなり、また、見栄えのよい意匠効果が得られる。更に、又一旦開封すると、元に戻せないので悪戯防止機構を兼ね備えることができる。
また、再封の場合に摘み片を開口した前面側壁パネルの内側に摘み片の両端に設けた切欠の最深部に前面側壁パネルのエッジが押し当たるまで差し込むことにより、蓋部は摘み片とその両端の前面カバーによって前面側壁パネルを挟み込んで固定できるので、摘み片が幅広に形成することと相俊って再封は容易確実なものとなる。
【発明を実施するための最良の形態】
【０００６】
本発明は前面側壁パネルの切れ目線から切り離される開口片が前面カバーの裏面に貼着して、天部と前面パネルを大きく開口するカバン型カートンであって、その開封にあたって摘み片の根元の折線を開口片と前面カバーとを貼着する接着部の最下端と、前面側壁パネルの切れ目線の下方の繋ぎ目の間に位置させることによって接着部に対して垂直方向の引っ張り力が多くかかり、接着部での層間剥離を防ぎつつ、切れ目線を確実に切り離すことによって前面パネルの未開封状態を皆無とすることができ、さらに再封の場合に摘み片を開口した前面側壁パネルの内側に、摘み片の両端部の設けた切欠の最深部に前面側壁パネルのエッジが押し当るまで差し込むことにより、蓋部は摘み片とその両端の前面カバーによって、前面パネルを挟みこんで固定できる。
【０００７】
以下、図面に基づいて詳細に説明する。
図１は易開封性カートンのカートンブランクの展開図、図２は本発明による易開封性カートンの開封、再封説明図、図３は本発明による易開封性の説明図、図４は摘み片の説明図、図５は従来のカートンの開封説明図である。
先ず従来のカートンの問題点であるが、図５（ａ）に示す開封前のカートンの前面カバーの摘み（１０）を引き上げると正常な場合は図５（ｂ）のように開封する。すなわち、前面パネルの切れ目線で区画された開口片（Ｋ）が前面カバーの裏側に貼着して除かれ、前面パネルが大きく開口する。しかるに、往々にして図５（ｃ）に示すように開口片（Ｋ）がそのまま残ってしまい、接着剤（Ｓ）を大半残した状態で前面カバーだけが持ち上がる問題が発生する。この場合、接着剤（Ｓ）にはホットメルトタイプのものが使用されている。
なお、このカートンを再封する場合は、摘み片（１０）を前面パネルに設けられたスリット（ＳＬ）に差し込んで、蓋を固定する。
【０００８】
以上のような接着剤（Ｓ）を大半残した状態で前面カバーだけが持ち上がる問題を解消するために本発明は発明された。
すなわち、図１は本発明による易開封性カートンのカートンブランクの展開図であり、このカートンを成形すると底板（１）の４辺から前面パネル（２）、後面パネル（７）、左右パネル（５）（６）が立ち上がる形になる。前面パネル（２）の上部には開口片（３）が切れ目線（１２）によって区画されていて、その開口片（３）の下部には接着部（１４）が設けられている。また、背面パネル（７）の上辺には天板（８）、前面カバー（９）、摘み片（１０）が順次に延設された蓋がある。なお底板（１）には折込みフラップ（４）が、右パネルには糊代（１１）が連接されている。
図１は本発明による易開封性カートンの一実施例のカートンブランク展開図であって、前面パネル（２）を蓋（８）（９）（１０）が覆うカバン型のものであれば、図１の形態に限定されない。
【０００９】
図２は図１に示すカートンブランクから成形された本発明による易開封性カートンの開封、再封説明図で、図２（ａ）に示す蓋の最先端の摘み片（１０）は従来のものより大型で、その根元には折線（１３）が設けられている。従って摘み片（１０）を引き上げると折線（１３）でほぼ９０°に折れ曲がり、折線（１３）の位置から前面カバーを引き剥がそうとする力が加わる。
その結果、図２（ｂ）に示すようにカートンは開封して、前面パネル（２）の上部は大きく開口する。
個装された商品を取り出し、再封する場合は、摘み片（１０）を前面パネル（２）の内側に差し込み、摘み片（１０）の両サイドに設けられた切欠（１５）の最深部が、開口片（３）の切り取られた前面パネルのエッジに届くまで深く差し込めば、蓋は固定される。
【００１０】
次に本発明の確実で正常な開封を達成する機構を一部図１を使用しながら図３によって説明する。
図３において、Ａは接着部の最下端、Ｂは開口片の下側にある繋ぎ目（１６）（実際には左右二箇所設けているが判りやすくするため１か所で説明する。）、Ｃは蓋である前面カバーに対して剥離力が最初にかかる力点をそれぞれ示している。
先ず、従来のカートンについて図３（ａ）と図３（ａ）におけるｘ−ｘ断面である図３（ａ’）によって説明する。
摘みのＣ点にかかる剥離力はＡ点に伝達される。この場合ＡとＣ間はかなり離れているのと板紙のしなりのために、Ａ点には接着層を下端から剥離しようとする剪断力が働く。一般にホットメルト接着剤の場合、接着層の両側の板紙との界面の接着力は弱く、特に再生繊維の多い裏面との接着力は剪断力に弱く剥離し易い。従って図３（ａ’）に示すようにＣ点からＡ点に伝えられた剥離力は接着部の剥離によって消滅し、Ｂ点にまで伝わらないので、切れ目線（１２）の最下部の繋ぎ部（１６）を切断することが出来ず、開口片（３）はそのままの状態で残ってしまう。
なお、切れ目線（１２）は下部の繋ぎ部が破壊すれば全体が容易に連続して破壊するように設計されている。
そこで本発明においては、図３（ｂ）と図３（ｂ）におけるｙ‐ｙ断面である図３（ｂ’）に示すように、剥離力の最初の力点ＣをＡ、Ｂ間に設け、Ａ、Ｃ間の距離を極めて小さくした。そうすることによって、図３（ｂ’）に示すように摘み片（１０）を持ち上げると剥離力の力点Ｃは折線（１３）の位置に移り、前面カバーのＣ点が上に持ち上がろうとするとき、直ぐ隣のＡ点も上に持ち上がろうとする。すなわち、Ａ点には太い矢印で示すように剪断力よりも上方への引っ張り力の方が大きく働く。一般に接着層は引っ張り力に対しては剪断力より強い抵抗を示すので、接着部での層間剥離、或いは剪断破壊は起きずに、剥離力はＡ点からＢ点の伝播して繋ぎ部（１６）を確実に破壊し、その破壊は切れ目線全体に及んで開口片（３）が確実に前面カバー（９）に貼着した状態で前面パネルが開口できる。
ここで、Ａ、Ｂ間は狭い方が良い、Ｃ点は出来るかぎりＡ点に近い方がよい。  また、摘み片が開口片で大きく開口した前面側壁パネルの開口部の内側に幅広に挿入してリクローズできる大きさに形成されていて、摘み片（１０）を大きくしたことで引っ張り易くなっていると共に、意匠効果を持たせることができる。
【００１１】
更に本発明は図４（ａ）に示すように摘み片（１０）の両側に切欠（１５）を設け、その最深部間を結ぶように折線を設けたことである。このような構成とすることにより、意匠性を損なうことなく、折線（１３）をＡ−Ｂ間に位置づけることができ、また図２（ｃ）に示すように、再封時に摘み片（１０）を前面パネル（２）の内側に深く差し込むだけで、両端の切欠（１５）に前面パネル開口部のエッジが食い込み、切欠（１５）の左右の板紙の反発力によって開口部のエッジが押え込まれる状態となり、蓋となる前面カバー（９）を固定することができる。さらに強固に前面カバーを固定しようとするならば、図４（ｂ）に示すように、両側の切欠を切り込み（スリット）（１５’）とすればよい。
【００１２】
本発明のカートン用の板紙は、コートボールが好ましいが、裏面に再生パルプを多めに使用した板紙でも使用が可能となり、利用可能な板紙の範囲は広がる。板紙の坪量はカートンサイズや中身の重量等に応じて２５０〜４００g/m2の範囲の中から適宜選んで使用することができる。
【図面の簡単な説明】
【００１３】
【図１】易開封性カートンのカートンブランクの展開図
【図２】易開封性カートンの開封、再封説明図
【図３】易開封性の説明図
【図４】摘み片の説明図
【図５】従来のカートンの開封説明図
【符号の説明】
【００１４】
１    底板
２    前面側壁パネル
３    開口片
４    折込み片
５    右側パネル
６    左側パネル
７    後面側壁パネル
８    天板
９    前面カバー
10    摘み片
11    糊代
12    切れ目線
13    折線
14    接着部
15    切欠
15'   切り込み
16    繋ぎ目
20    本発明によるカートンブランク
Ｋ    開口片
Ｓ    接着部
SL    スリット
【図１】
2005126148.tif 000003
【図２】
2005126148.tif 000004
【図３】
2005126148.tif 000005
【図４】
2005126148.tif 000006
【図５】
2005126148.tif 000007